(57)【特許請求の範囲】
【請求項１】
使用者に向かって開口する便器本体に小便が当たる内壁面を有する小便器において、
前記便器本体の内壁面を、幅方向中央の平面または曲面部分の接線が便器本体の幅方向一端側から他端側に向かって前後方向に傾斜をなすように左右非対称に形成し、
トイレ室内の壁面に固定される便器本体の背面を便器本体の内壁面と同一の向きに傾斜するように形成した
ことを特徴とする小便器。
【請求項２】
前記便器本体の内壁面を、便器本体の幅方向一端側における前後方向の深さが浅く、幅方向他端側における前後方向の深さが深くなるように、幅方向一端側から他端側に亘って連続する凸曲面と凹曲面とから形成した
ことを特徴とする請求項１記載の小便器。
【請求項３】
請求項１または２記載の小便器が複数設置されるトイレにおいて、
互いに隣り合う小便器を、小便器の使用者がトイレ室内の壁面に対して左右同一方向に傾いて立つようにトイレ壁面に対して斜めに設置した
ことを特徴とするトイレ。
【請求項４】
トイレ室の前後方向一方の壁側に出入口を有するとともに、
トイレ室内の左右方向の少なくとも一方の壁面側に複数の前記小便器を前後方向に配列し、
各小便器を便器本体が出入口側を向くように斜めに設置した
ことを特徴とする請求項３記載のトイレ。
【請求項５】
トイレ室の前後方向一方の壁側及び他方の壁側にそれぞれ出入口を有するとともに、
トイレ室内の左右方向の両方の壁面側にそれぞれ前記小便器を複数ずつ前後方向に配列し、
トイレ室内の左右方向の一方の壁面側に配置される小便器を便器本体が前後方向一方の壁側の出入口側を向くように斜めに設置し、
トイレ室内の左右方向の他方の壁面側に配置される小便器を便器本体が前後方向他方の壁側の出入口側を向くように斜めに設置した
ことを特徴とする請求項３記載のトイレ。
【発明の詳細な説明】
【技術分野】
【０００１】
本発明は、男性用トイレに設置される小便器の構造及びこれを複数配置するトイレにおける小便器の配置に関するものである。
【背景技術】
【０００２】
従来、男性用の立ち小便用便器としては、壁掛け型、床置き型、埋め込み型などがあり、押しボタンや人感センサーを備え、手動または自動で洗浄水を流すようになっている。いずれの便器形状も、図７に示すように小便器１の便器本体２の幅方向中心は平面や凹面をなしているが、小便を受ける内壁面３の幅方向中央は内壁面３の接線に対して小便が直角に当たるように便器本体２の中心に対して左右線対称に形成されている。
【０００３】
しかしながら、従来の小便器では、年齢や身長の異なる男性が小便器に小便をする際、放尿の高さや勢い、量に個人差があるため、小便は便器本体の内壁面にあたって下部に流れ落ちるもののほか、弾かれて細かい水滴として飛沫となり、便器外へ飛び散った尿飛沫によりズボンや足、靴に小便が付着して汚れたり、便器前の床面が小便で汚れるという問題点があった。
【０００４】
このような問題を多少なりとも解決する手立てのひとつとして、便器内の理想的な位置に小便が当たるように心理的に狙せることを目的として、便器本体の内壁表面の所定位置に蠅等の図柄や目標物を表示し、その位置に意図的に小便が当たるよう放尿させ、飛沫の減少や便所の汚れを防ごうとしたものが知られている（例えば、特許文献１参照）。
【０００５】
また、使用者自らの努力として、故意に小便器内壁の中心部への放尿をせず、中心部から外れた内壁面が手前から奥に傾斜している側面を狙って放尿することで小便の飛沫軽減を試みる場合がある。
【０００６】
更に、例えば飲食店等のトイレでは、小便器内に大量の氷を入れておくことにより、放尿時に氷間の隙間に尿を侵入させて緩衝するとともに、体温に近い尿の温度が氷を溶かしつつ染みこんで流れることで尿の飛散を軽減し、同時に清潔感を醸しだすなどの工夫が行われている事例もある。
【０００７】
また、小便の飛散を防止する小便器の構造として、小便器本体の高さを体格に合わせて上下に動かし、小便を受ける便器位置を変えることで排尿による床の汚れを防止するようにしたものも知られている（例えば、特許文献２参照）。
【先行技術文献】
【特許文献】
【０００８】
【特許文献１】特開２００９−７４３００号公報
【特許文献２】特開２００４−２２５３７０号公報
【発明の概要】
【発明が解決しようとする課題】
【０００９】
しかしながら、前述のように便器内壁面に放尿の目標物を表示するようにした場合は、必ずしも使用者が目標物を狙って放尿するとは限らず、飛散防止の確実性は高いとはいえなかった。また、使用者が故意に便器内壁の中心から外れた側面を狙って放尿する場合も、このような面倒な放尿方法を行う使用者は少なく、逆に失敗して小便が便器の縁にあたって跳ね返ったり、便器外に放尿してしまう危険性が高かった。更に、便器内に氷を入れておく方法も、氷を大量に消費して不経済であるとともに、便器が結露して周囲が結露水で濡れるという欠点がある。
【００１０】
また、便器本体を使用者の体格に合わせて上下動させる構造を備えたものでは、複雑な上下動機構を複数の便器に個別に設ける必要があり、機構的にもコスト的にも現実的ではない。また、小便をする人に対して最適な高さに設定するには、複雑なセンサーやスイッチを備える必要があり、速やかに小便前に設定を完了させることも困難である。更に、可動部分が多いため、故障を生じやすいという欠点もある。
【００１１】
一方、公衆便所等、複数の小便器が並ぶ場所では、出入口と小便器の位置関係によっては、放尿中に出入口の扉が開かれたり、出入口に扉がない公衆便所では、外部から放尿状態が視界に入ってしまったり、複数の小便器が隣り合って並ぶ場所では、便器間に仕切板があったとしても左右に視線を向けるだけで、簡単に隣人の放尿が見えてしまい、プライバシーが守れないという問題がある。
【００１２】
また、小便器を多数配置している学校、コンサートホール等の会館、映画館、高速道路のサービスエリア等の大規模公衆便所においては、複数の小便器が等間隔にトイレ室内の壁に向かって正面を向いて小便をするよう設置されている。このため、小便器に対する進路及び退路を便器の左右いずれの方向にも同じようにとることができ、混雑時には便器に進む人と退く人の動線が重なり、人の動きがスムーズに流れることを妨げている。
【００１３】
本発明は前記問題点に鑑みてなされたものであり、その目的とするところは、構造を複雑化させることなく便器外への小便の飛散を防止することのできる小便器を提供することにある。
【００１４】
また、本発明は、前記目的に加え、複数の小便器が並設されているトイレにおいて、放尿状態が他者の視界に容易に入らず、混雑時でも小便器に進む人と退く人の動きをスムーズにすることのできるトイレを提供することにある。
【課題を解決するための手段】
【００１５】
本発明は前記目的を達成するために、使用者に向かって開口する便器本体に小便が当たる内壁面を有する小便器において、前記便器本体の内壁面を、幅方向中央の平面または曲面部分の接線が便器本体の幅方向一端側から他端側に向かって前後方向に傾斜をなすように左右非対称に形成している。
【００１６】
これにより、小便が当たる内壁面の幅方向中央が傾斜していることから、放尿が使用者側に跳ね返ることなく内壁面に沿って流れ落ちる。
【００１７】
また、本発明は、前記構成に加え、前記便器本体の内壁面を、便器本体の幅方向一端側における前後方向の深さが浅く、幅方向他端側における前後方向の深さが深くなるように、幅方向一端側から他端側に亘って連続する凸曲面と凹曲面とから形成している。
【００１８】
これにより、前記内壁面が幅方向一端側から他端側に亘って連続する凸曲面と凹曲面とから形成されることから、幅方向中央部の傾斜角度をより小さくすることが可能となる。
【００１９】
また、本発明は、前記構成に加え、トイレ室内の壁面に固定される便器本体の背面を内壁面と同一の向きに傾斜するように形成している。
【００２０】
これにより、便器本体の背面が内壁面と同一の向きに傾斜していることから、内壁面の深さが浅い方において内壁面と背面との間の寸法が小さくなる。
【００２１】
また、本発明は、前記小便器が複数設置されるトイレにおいて、互いに隣り合う小便器を、小便器の使用者がトイレ室内の壁面に対して左右同一方向に傾いて立つようにトイレ壁面に対して斜めに設置している。
【００２２】
これにより、使用者が小便器に放尿する際、トイレ室内の壁面に対して左右同一方向を向いて斜めに立つことから、隣の使用者と視線が合いにくい位置関係が保たれる。
【００２３】
また、本発明は、前記トイレにおいて、トイレ室の前後方向一方の壁側に出入口を有するとともに、トイレ室内の左右方向の少なくとも一方の壁面側に複数の前記小便器を前後方向に配列し、各小便器を便器本体が出入口側を向くように斜めに設置している。
【００２４】
これにより、小便器の便器本体がそれぞれ出入口側を向くように左右同一方向に斜めに設置されることから、これから小便をしようとする人が出入口から小便器に向かって進む際、小便器の前で体の向きを大きく変えることなくスムーズに小便器の前に立つことができるので、速やかに放尿を開始することができる。また、使用者がトイレ室内の壁に向かって斜めに立つことにより、隣の小便器の使用者を大きく迂回することなく小便器に対して進退することが可能となる。
【００２５】
また、本発明は、前記トイレにおいて、トイレ室の前後方向一方の壁側及び他方の壁側にそれぞれ出入口を有するとともに、トイレ室内の左右方向の両方の壁面側にそれぞれ前記小便器を複数ずつ前後方向に配列し、トイレ室内の左右方向の一方の壁面側に配置される小便器を便器本体が前後方向一方の壁側の出入口側を向くように斜めに設置し、トイレ室内の左右方向の他方の壁面側に配置される小便器を便器本体が前後方向他方の壁側の出入口側を向くように斜めに設置している。
【００２６】
これにより、一方の出入口側から進入した使用者は自らの方を向く左右方向の一方の壁面側の小便器に向かって進み、他方の出入口側から進入した使用者は自らの方を向く左右方向の他方の壁面側の小便器に向かって進もうとするため、一方の出入口から出入りする使用者の動線と、他方の出入口から出入りする使用者の動線とが別々になる。
【発明の効果】
【００２７】
本発明の小便器によれば、放尿が使用者側に跳ね返ることなく内壁面に沿って流れ落ちるので、便器外への小便の飛散による衣服や床面の汚れを防止することができる。これにより、小便を飛散させないように目標物に向かって放尿したり、放尿方向を意図的に側面側にそらす必要がなく、常に自然体で放尿を行うことができる。更に、便器本体を使用者の体格に合わせて上下動させるようにした従来例のように構造が複雑化することがないので、製造コストの増加や故障の発生を来すことがない。また、内壁面の深さが浅い方において内壁面と背面との間の寸法を小さくすることができるので、その分だけ小便器本体の材料費の削減と軽量化が可能になるという利点がある。
【００２８】
また、本発明のトイレによれば、使用者が小便器に放尿する際、隣の使用者と視線が合いにくい位置関係を保つことができるので、個人同士のプライバシーを守ることができる。また、これから小便をしようとする人が出入口から小便器に向かって進む際、小便器の前で体の向きを大きく変えることなくスムーズに小便器の前に立つことができ、速やかに放尿を開始することができる。更に、使用者がトイレ室内の壁に向かって斜めに立つことにより、隣の小便器の使用者を大きく迂回することなく小便器に対して進退することができ、これから小便をする人と退く人の動線が重ならないようにすることができ、混雑時でもトイレ室内の人が円滑に進行することができる。
【図面の簡単な説明】
【００２９】
【図１】本発明の第１の前提技術を示す小便器の平面断面図
【図２】本発明の第２の前提技術を示す小便器の平面断面図
【図３】本発明の第１の実施形態を示す小便器の平面断面図
【図４】本発明の第２の実施形態を示す小便器の平面断面図
【図５】本発明の第３の実施形態を示すトイレの平面断面図
【図６】本発明の第４の実施形態を示すトイレの平面断面図
【図７】従来例を示す小便器の平面断面図
【発明を実施するための形態】
【００３０】
図１は本発明の第１の前提技術を示すもので、男子用トイレに設置される小便器を示すものである。
【００３１】
同図に示す小便器１０は、使用者に向かって開口する便器本体１１に小便が当たる凹面状の内壁面１２を有し、便器本体１１の下部には目皿で覆われた排水口１３が設けられている。また、小便器１０は、従来の左右対称の小便器に対し、便器本体１１の内壁面１２の幅方向中央が放尿方向に対して前後方向の傾斜をなすように左右非対称に形成されており、内壁面１２は幅方向一端側から他端側（左側から右側）に亘って前後方向の深さが徐々に深くなっている。
【００３２】
内壁面１２は、左側から右側に亘って放尿方向の前後になだらかな凹曲面をなすように形成され、幅方向中央の曲面部分の接線Ｌ1 が便器本体１１の前後方向に延びる中心線Ｃに対して角度θ1 （鋭角側）の傾斜をなしている。内壁面１２の右側最深部は段差のない曲面で便器本体１１の右側の壁面１４に連続しており、小便器中心に放尿された小便は、なだらかな凹曲面に沿って最深部付近まで流れ落ち、凹曲面に沿わずに反射した尿飛沫は右側の壁面１４で完全に受け止められるようになっている。尚、傾斜角度θ1 は、５５゜以上７５゜以下（好ましくは６０゜以上７０゜以下）に設定される。
【００３３】
以上のように構成された小便器１０においては、小便が当たる幅方向中心における内壁面１２の接線Ｌが自然に便器前に立って小便をする人に対して平行な位置関係にないため、放尿は内壁面１２で跳ね返り飛沫を発生させることなく、内壁面１２に沿って流れ落ちる。
【００３４】
前記小便器によれば、便器本体１１の内壁面１２を、幅方向中央の曲面部分の接線Ｌ1 が便器本体の幅方向一端側から他端側に向かって前後方向に傾斜をなすように左右非対称に形成したので、放尿が内壁面１２で跳ね返り飛沫を発生させることなく内壁面１２に沿って流れ落ち、便器外への小便の飛散による衣服や床面の汚れを防止することができる。この場合、内壁面１２の傾斜によって小便の跳ね返りを防止することができるので、小便を飛散させないように目標物に向かって放尿したり、放尿方向を意図的に側面側にそらす必要がなく、常に自然体で放尿を行うことができる。また、内壁面１２を傾斜させた便器本体１１の形状により小便を飛散を防止するようにしているので、便器本体を使用者の体格に合わせて上下動させるようにした従来例のように構造が複雑化することがなく、製造コストの増加や故障の発生を来すことがないという利点がある。
【００３５】
図２は本発明の第２の前提技術を示すもので、前記第１の前提技術と同等の構成部分には同一の符号を付して示す。
【００３６】
同図に示す小便器１０は、内壁面１５が左側から右側に亘って放尿方向の前後になだらかな凸曲面１５ａと凹曲面１５ｂを連続的に有し、幅方向中央の曲面部分の接線Ｌ2 が便器本体１１の前後方向に延びる中心線Ｃに対して角度θ2 （鋭角側）の傾斜をなしている。この場合、傾斜角度θ2 は、第１の実施形態の傾斜角度θ1 よりも小さく（θ2 ＜ θ1）、内壁面１５の幅方向中央付近で最小となる。尚、傾斜角度θ2 は、３５゜以上５５゜以下（好ましくは４０゜以上５０゜以下）に設定される。
【００３７】
内壁面１５の右側最深部は段差のない曲面で便器本体１１の右側の壁面１４に連続しており、便器本体１１の中央に放尿された小便は、なだらかな凹曲面１５ｂに沿って最深部付近まで流れ落ち、凹曲面１５ｂに沿わずに反射した尿飛沫は右側の壁面１４で完全に受け止めされるようになっている。この場合、内壁面１５の左側が凸曲面１５ａをなし、凸曲面１５ａから右側が凹曲面１５ｂをなすように形成されていることから、幅方向中央部の傾斜角度θ2 を放尿方向に対して前記第１の前提技術の傾斜角度θ1 よりも小さくすることができ、内壁面１５に当たった小便の跳ね返りをより少なくすることができる。
【００３８】
尚、第２の前提技術では、便器本体１１の内壁面１２，１５を幅方向中央の曲面部分の接線Ｌ2 が便器本体１１の前後方向に延びる中心線Ｃに対して角度θ1 ，θ2 を所定の傾斜角度に設定したものを示したが、内壁面１２，１５の幅方向中央が平面の場合は、その平面と中心線Ｃがなす角度を傾斜角度θ1 ，θ2 として設定すればよい。
【００３９】
また、前記内壁面１２，１５は、便器本体１１の高さ方向で傾斜の度合いが変化するように形成されていてもよい。
【００４０】
図３は本発明の第１の実施形態を示すもので、前記前提技術と同等の構成部分には同一の符号を付して示す。
【００４１】
本実施形態の小便器１０は、第２の前提技術の便器本体１１を背面１６が内壁面１５と同一の向きに傾斜するように形成され、背面１６は便器本体１１の前後方向に延びる中心線Ｃに対して角度θ3 （鋭角側）の傾斜をなしている。即ち、トイレ室内の壁面Ａに便器本体１１の背面１６を固定すると、使用者が小便器１０に放尿する際、トイレ室内の壁面Ａに対して（９０゜−θ3 ）の角度をなすように右向きに立つことになる。第２の前提技術の便器本体１１のように便器本体１１の背面を傾斜させていない場合は、内壁面１５の深さが浅い方（図中左側）において内壁面１５と背面との間の寸法が大きくなるが、本実施形態では背面１６を内壁面１５と同一の向きに傾斜するように形成しているので、内壁面１５の深さが浅い方（図中左側）において内壁面１５と背面１６との間の寸法が小さくなり、その分だけ小便器本体１１の材料費の削減と軽量化が可能になる。
【００４２】
尚、前記第１の実施形態では、使用者がトイレ室内の壁面Ａに対して右向きに立つように背面１６を傾斜させたものを示したが、図４に示す第２の実施形態に示すように、前記第１の実施形態の便器本体１１を中心線Ｃに対して左右対称に形成すれば、使用者がトイレ室内の壁面Ａに対して左向きに立つように構成することができる。
【００４３】
また、前記第１及び第２の実施形態では、第２の前提技術の便器本体１１を背面１６が傾斜するように形成したものを示したが、第１の前提技術の便器本体１１を同様に背面が傾斜するように形成することも可能である。
【００４４】
図５は本発明の第３の実施形態を示すものであり、第１及び第２の実施形態の小便器１０を複数備えたトイレを示すものである。
【００４５】
本実施形態のトイレ２０は、トイレ室２１の前後方向一方の壁２２側に出入口２３を有するとともに、トイレ室２１内の図中左側の壁２４の壁面には複数の第２の実施形態の小便器１０が前後方向に配列され、トイレ室２１内の図中右側の壁２４の壁面には複数の第３の実施形態の小便器１０が前後方向に配列されている。これにより、各小便器１０は便器本体１１がそれぞれ出入口２３側（図中下側）を向くように斜めに設置されている。
【００４６】
これにより、小便をする使用者はいずれも出入口２３に背中を向けるように立つため、トイレ２０の室外にいる人から放尿が見られることがなく、プライバシーを守ることができる。また、各小便器１０でそれぞれ小便をする使用者もトイレ室２１内の壁面２４に対して斜めに立つことから、例えば図中左側壁面の小便器１０で小便をする使用者は常にその使用者の右側で小便をする他の使用者の背中を見て小便をすることになる。同様に、図中右側壁面の小便器１０で小便をする使用者は常にその使用者の左側で小便をする他の使用者の背中を見て小便をすることになる。これにより、各使用者が互いの視線を合わすことがなく、個人同士のプライバシーを守ることができる。
【００４７】
更に、多数の人が同時に小便をする機会が多い、例えば高速道路のサービスエリアや、コンサートホール等の公共の大規模トイレにおいては、これから小便をする人と小便を終わって退く人の動線が重なって混雑の原因になる場合がある。これに対し、本実施形態によれば、互いに隣り合う小便器１０の便器本体１１がそれぞれ出入口２３側を向くように左右同一方向に斜めに設置されているので、従来のようにトイレ室内の壁に向かって使用者が正面を向くように小便器が配置されている場合に比べ、これから小便をしようとする人が出入口２３から小便器１０に向かって進む際、小便器１０の前で体の向きを大きく変えることなくスムーズに小便器１０の前に立つことができ、速やかに放尿を開始することができる。また、使用者がトイレ室内の壁に向かって斜めに立つことにより、隣の小便器１０の使用者を大きく迂回することなく小便器１０に対して進退することができ、これから小便をする人と退く人の動線（図中破線）が重ならないようにすることができる。これにより、混雑時でもトイレ室２１内の人が円滑に進行することができる。
【００４８】
尚、前記第３の実施形態では、トイレ室２１内の左右方向両方の壁面２４側に小便器１０を設置したものを示したが、トイレ室２１内の左右方向一方の壁面２４側のみに小便器１０を設置したものであってもよい。
【００４９】
図６は本発明の第４の実施形態を示すものであり、第１の実施形態の小便器１０を複数備えたトイレを示すものである。
【００５０】
本実施形態のトイレ３０は、トイレ室３１の前後方向一方の壁３２側及び他方の壁３２側にそれぞれ出入口３３を有するとともに、トイレ室３１内の図中左側の壁３４の壁面には複数の第１の実施形態の小便器１０が前後方向に配列され、トイレ室３１内の図中右側の壁３４の壁面には複数の第１の実施形態の小便器１０が前後方向に配列されている。これにより、トイレ室３１内の図中左側の壁３４の壁面側の小便器１０は便器本体１１がそれぞれ一方の出入口３３側（図中下側）を向くように斜めに設置され、トイレ室３１内の図中右側の壁３４の壁面側の小便器１０は便器本体１１がそれぞれ他方の出入口３３側（図中上側）を向くように斜めに設置されている。
【００５１】
これにより、一方の出入口３３側（図中下側）から進入した使用者は自らの方を向く図中左側の小便器１０に向かって進み、他方の出入口３３側（図中上側）から進入した使用者は自らの方を向く図中右側の小便器１０に向かって進もうとするため、一方の出入口３３から出入りする使用者の動線（図中破線）と、他方の出入口３３から出入りする使用者の動線（図中破線）とが別々になり、トイレ室３１内の人の進行を円滑にすることができる。
【符号の説明】
【００５２】
１０…小便器、１１…小便器本体、１２…内壁面、１４…壁面、１５…内壁面、１５ａ…凸曲面、１５ｂ…凹曲面、１６…背面、２０…トイレ、２１…トイレ室、２３…出入口、２４…壁、３０…トイレ、３１…トイレ室、３３…出入口、３４…壁。                                                                    
【図１】
0006304602.tif 000002
【図２】
0006304602.tif 000003
【図３】
0006304602.tif 000004
【図４】
0006304602.tif 000005
【図５】
0006304602.tif 000006
【図６】
0006304602.tif 000007
【図７】
0006304602.tif 000008